(57)【特許請求の範囲】
【請求項１】
物体側から像側へ順に、ズーミングのためには移動せず、フォーカシングに際して移動する正の屈折力を有する第１レンズ群、ズーミングに際して移動する負の屈折力を有する第２レンズ群、ズーミングに際して移動する少なくとも１群以上のレンズ群、開口絞りを含みズーミングのためには移動しない正の屈折力を有する最終レンズ群から構成され、ズーミングに際して、隣り合う各レンズ群の間隔が変化するズームレンズであって、
該ズームレンズの望遠端における焦点距離をｆＴ、前記第１レンズ群の焦点距離をｆ１、前記第１レンズ群の最も像側のレンズ面から前記第１レンズ群の後側主点位置までの光軸上の距離をＯＫ１、前記第２レンズ群の焦点距離をｆ２とするとき、
３．５＜ｆＴ／ｆ１＜７．０
−８．０＜ｆ１／ｆ２＜−４．０
−０．３５＜ＯＫ１／ｆ１≦−０．１５
を満たすことを特徴とするズームレンズ。
【請求項２】
前記ズームレンズの、広角端の焦点距離をｆＷ、広角端の半画角をω_Ｗとするとき、
−１．５＜ｆ２／（２×ｆＷ×tan(ω_Ｗ)）＜−０．７
を満たすことを特徴とする請求項１に記載のズームレンズ。
【請求項３】
物体側から像側へ順に、ズーミングのためには移動せず、フォーカシングに際して移動する正の屈折力を有する第１レンズ群、ズーミングに際して移動する負の屈折力を有する第２レンズ群、ズーミングに際して移動する負の屈折力を有する第３レンズ群、開口絞りを含みズーミングのためには移動しない正の屈折力を有する第４レンズ群から構成され、前記第４レンズ群の結像倍率をβrとするとき、
−３．０＜βｒ＜−１．８
を満たすことを特徴とする請求項１または２に記載のズームレンズ。
【請求項４】
前記第１レンズ群は、物体側から像側へ順に、フォーカシングのためには移動しない第１１レンズ群、無限遠側から至近側へのフォーカシングに際して物体側へ移動する正の屈折力を有する第１２レンズ群で構成されることを特徴とする請求項１乃至３のいずれか１項に記載のズームレンズ。
【請求項５】
請求項１乃至４のいずれか１項に記載のズームレンズと、
前記ズームレンズにより形成された光学像を光電変換する撮像素子と、を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ、銀塩写真用カメラ等に好適なものである。
【背景技術】
【０００２】
近年、テレビカメラや映画用カメラ、ビデオカメラ、写真用カメラ等の撮像装置には、映像表現の拡大のため浅い被写界深度や美しいボケ味を特徴とする大判カメラが用いられている。大判カメラに装着するズームレンズとして、機動性の確保と撮影、映像表現の自由度向上のため小型軽量で、大口径、高倍率、且つ高い光学性能を有したズームレンズが要望されている。特に自然番組の撮影、制作などにおいて、動物や鳥などの表情を遠距離より撮影するため、超望遠の画角をカバーできる望遠ズームレンズが望まれている。大判カメラに装着する高倍率望遠ズームレンズとして特許文献１、２で提案されているように最も物体側に正の屈折力の群を配置し、全体として４つ以上の群により構成されるポジティブリード型のズームレンズが知られている。
【先行技術文献】
【特許文献】
【０００３】
【特許文献１】特開２００７−１３９８５８号公報
【特許文献２】特開２０１１−１７５１８５号公報
【発明の概要】
【発明が解決しようとする課題】
【０００４】
一般的に撮像装置のイメージサイズが大きくなると、それに応じて装着するズームレンズも大型化する。従って、イメージサイズの大きな撮像装置に装着する場合には、ズームレンズの小型軽量が課題となる。
【０００５】
特許文献１では変倍比が１５倍、望遠端における半画角が０．７度のズームレンズが開示されている。特許文献１のズームレンズに対し、更に大きな撮像素子に対応し、大口径比を維持しながら高倍率化を実現するためには各レンズ群の有効径が増大するため、小型軽量化が困難となる。
【０００６】
特許文献２では変倍比が約５倍、望遠端における半画角が約３度のズームレンズが開示されている。しかしながら、更なる高倍率化を実現するには変倍に伴う第２レンズ群の移動量が増大するため、高倍率化と小型軽量化を両立することが困難となる。
【０００７】
高倍率化と小型軽量化の両立を実現するには、特に第１レンズ群、第２レンズ群の屈折力を適切に設定することが重要である。
【０００８】
よって本発明では、大判センサに対応し、変倍比が１０倍〜３０倍程度、望遠端における半画角が０．５度〜１．５度程度に好適な、高倍率、大口径比、小型軽量且つ高性能な望遠ズームレンズを提供することを目的とする。
【課題を解決するための手段】
【０００９】
上記目的を達成するために、本発明のズームレンズは、物体側から像側へ順に、ズーミングのためには移動せず、フォーカシングに際して移動する正の屈折力を有する第１レンズ群、ズーミングに際して移動する負の屈折力を有する第２レンズ群、ズーミングに際して移動する少なくとも１群以上のレンズ群、開口絞りを含みズーミングのためには移動しない正の屈折力を有する最終レンズ群から構成され、ズーミングに際して、隣り合う各レンズ群の間隔が変化するズームレンズであって、該ズームレンズの望遠端における焦点距離をｆＴ、前記第１レンズ群の焦点距離をｆ１、前記第１レンズ群の最も像側のレンズ面から前記第１レンズ群の後側主点位置までの光軸上の距離をＯＫ１、前記第２レンズ群の焦点距離をｆ２とするとき、
３．５＜ｆＴ／ｆ１＜７．０
−８．０＜ｆ１／ｆ２＜−４．０
−０．３５＜ＯＫ１／ｆ１≦−０．１５
を満足することを特徴とする。
【発明の効果】
【００１０】
本発明によれば、特に大判カメラ用ズームレンズにおいて、高倍率、大口径比、小型軽量、且つ広角端から望遠端までの全ズーム範囲において高い光学性能を有する望遠ズームレンズ及びそれを有する撮像装置が得られる。
【図面の簡単な説明】
【００１１】
【図１】実施例１のズームレンズの無限遠フォーカス時の広角端におけるレンズ断面図である。
【図２】実施例１のズームレンズの広角端、無限遠フォーカス時（Ａ）、焦点距離４００ｍｍ、無限遠フォーカス時（Ｂ）、望遠端、無限遠フォーカス時（Ｃ）の縦収差図である。
【図３】実施例２のズームレンズの無限遠フォーカス時の広角端におけるレンズ断面図である。
【図４】実施例２のズームレンズの広角端、無限遠フォーカス時（Ａ）、焦点距離５００ｍｍ、無限遠フォーカス時（Ｂ）、望遠端、無限遠フォーカス時（Ｃ）の縦収差図である。
【図５】実施例３のズームレンズの無限遠フォーカス時の広角端におけるレンズ断面図である。
【図６】実施例３のズームレンズの広角端、無限遠フォーカス時（Ａ）、焦点距離４００ｍｍ、無限遠フォーカス時（Ｂ）、望遠端、無限遠フォーカス時（Ｃ）の縦収差図である。
【図７】実施例４のズームレンズの無限遠フォーカス時の広角端におけるレンズ断面図である。
【図８】実施例４のズームレンズの広角端、無限遠フォーカス時（Ａ）、焦点距離４５０ｍｍ、無限遠フォーカス時（Ｂ）、望遠端、無限遠フォーカス時（Ｃ）の縦収差図である。
【図９】本発明の撮像装置の要部概略図である。
【発明を実施するための形態】
【００１２】
以下に、本発明のズームレンズの具体的な構成について、添付の図面に基づいて詳細に説明する。
【００１３】
図１は、本発明の実施例１としての数値実施例１の広角端で、無限遠物体にフォーカスしているときのレンズ断面図である。第１レンズ群Ｕ１は、ズーミングのためには移動しない固定の正の屈折力を有するレンズ群である。第２レンズ群Ｕ２は、ズーミングに際して移動する負の屈折力を有するレンズ群であり、光軸上を像面側へ移動させることにより、広角端から望遠端へのズーミングを行っている。第３レンズ群Ｕ３は、ズーミングに際して移動するレンズ群であり、広角端から望遠端にかけて、光軸上を移動する。第４レンズ群Ｕ４はズーミングのためには移動しない正の屈折力を有する第４レンズ群であり、第４レンズ群Ｕ４群内に開口絞りＳＰが配置される。
【００１４】
本発明のズームレンズは、物体側から像側に順に、ズーミングのためには移動せず、フォーカシングに際して移動する正の屈折力を有する第１レンズ群、ズーミングに際して移動する負の屈折力を有する第２レンズ群、ズーミングに際して移動する少なくとも１群以上のレンズ群、開口絞りを含みズーミングのためには移動しない正の屈折力を有する最終レンズ群から構成される。ズームレンズの望遠端焦点距離をｆＴ、前記第１レンズ群の焦点距離をｆ１、前記第１レンズ群の最も像側のレンズ面から第１レンズ群の後側主点位置までの距離をＯＫ１、前記第２レンズ群の焦点距離をｆ２とするとき、
３．５＜ｆＴ／ｆ１＜７．０          ・・・（１）
−８．０＜ｆ１／ｆ２＜−４．０      ・・・（２）
−０．３５＜ＯＫ１／ｆ１≦−０．１５  ・・・（３）
を満たしている。
【００１５】
条件式（１）はズームレンズの望遠端における焦点距離と第１レンズ群の焦点距離の比を規定することにより、小型軽量、高倍率且つ高性能の両立を達成するための条件を規定している。小型軽量化と高倍率化の両立を達成するためには、第１レンズ群Ｕ１の焦点距離ｆ１を小さくすることが望ましい。ｆ１を小さくすると、第１レンズ群Ｕ１の像点位置、即ち第２レンズ群Ｕ２の物点位置が第２レンズ群Ｕ２に近づくため、ズーミングに必要なストローク量を低減することが可能となるためである。
【００１６】
しかしながら、ｆ１を小さくすると、式（ａ）に示すように、ズームレンズにおける焦点距離ｆｍを得るためには第１レンズ群Ｕ１（第１レンズ群Ｕ１より像側に配置されたレンズ群）の結像倍率を大きくする必要がある。
ｆｍ＝ｆ１×β２ｍ×β３ｍ×βｒ  ・・・（ａ）
【００１７】
β２ｍは第２レンズ群Ｕ２の結像倍率、β３ｍは第３レンズ群Ｕ３の結像倍率である。βｒは第４レンズ群Ｕ４の結像倍率であり、変倍において一定である。第１レンズ群Ｕ１以降の結像倍率が大きいと、特に望遠端において第１レンズ群Ｕ１で発生する球面収差、軸上色収差等の拡大率が増大するため、高性能化を達成することが困難となる。
【００１８】
以上より、第１レンズ群の焦点距離を適切な範囲に設定することが、小型軽量、高倍率且つ高性能を達成するために必要である。
【００１９】
条件式（１）の上限を超えると、ズームレンズにおける望遠端の焦点距離に対する第１レンズ群の焦点距離が小さくなり過ぎ、高性能化を達成することが困難となる。条件式（１）の下限を超えると、ズームレンズにおける望遠端の焦点距離に対する第１レンズ群の焦点距離が大きくなり過ぎ、小型軽量化、高倍率化を達成することが困難となる。
【００２０】
更に好ましくは、条件式（１）は次のように設定することが好ましい。
３．６＜ｆＴ／ｆ１＜６．４  ・・・（１ａ）
【００２１】
条件式（２）は、第１レンズ群の焦点距離と第２レンズ群の焦点距離の比を規定することにより、小型軽量、高倍率且つ高性能の両立を達成するための条件を規定している。条件式（２）の上限を超えると、第１レンズ群の焦点距離が小さくなり過ぎ、特に望遠端における球面収差、軸上色収差等の補正が困難となるとともに、第２レンズ群の焦点距離が大きくなり過ぎ、変倍のための変倍レンズ群の移動量が増大するため、高変倍比と小型軽量を両立することが困難となる。条件式（２）の下限を超えると、第１レンズ群の焦点距離が大きくなり過ぎ、第１レンズ群の有効径やレンズ全長が増大し、小型軽量が困難となるとともに、第２レンズ群の焦点距離が小さくなり過ぎ、ズーミングに伴う球面収差、コマ収差、色収差の収差変動の補正が困難となる。
【００２２】
更に好ましくは、条件式（２）を次の如く設定するのが良い。
−７．８＜ｆ１／ｆ２＜−５．６  ・・・（２ａ）
【００２３】
条件式（３）は、第１レンズ群の焦点距離と第１レンズ群の最も像側のレンズ面から第１レンズ群の後側主点位置までの距離の比を規定することにより、小型軽量、大口径、高性能の両立を達成するための条件を規定している。
【００２４】
第１レンズ群の後側主点位置を物体側に変位させることにより、第１レンズ群と第２レンズ群の主点間隔が増大し、第２レンズ群に入射する光束径を下げることが可能となり、大口径化が可能となる。また、第２レンズ群の径や、それらを保持・駆動するための鏡筒なども小型化することが容易となる。しかしながら、第１レンズ群の後側主点位置を物体側に変位させるためには、第１レンズ群内において物体側に配置される正のレンズ群、及び像側に配置される負のレンズ群の屈折力をそれぞれ増大させる必要がある。これにより、球面収差やコマ収差、軸上色収差等の高次収差が発生してしまう。以上より、第１レンズ群の焦点距離と第１レンズ群の最も像側のレンズ面から第１レンズの後側主点位置までの距離の比を適切に設定することが、小型軽量、高性能の両立を達成するために必要である。
【００２５】
条件式（３）の上限を超えると、第１レンズ群の後側主点位置が物体側への変位量が小さくなり過ぎ、第１レンズ群以降のレンズ径やそれらを保持・駆動する機構が増大してしまい小型軽量を達成することが困難となる。
条件式（３）の下限を超えると、第１レンズ群の後側主点位置が物体側への変位量が大きくなり過ぎ、前述のように第１レンズ群内における各レンズ群の屈折力が増大することにより発生する高次収差の補正が困難となる。
【００２６】
更に好ましくは、条件式（３）は次のように設定することが好ましい。
−０．２９＜ＯＫ１／ｆ１≦−０．１５  ・・・（３ａ）
【００２７】
本発明の更なる実施態様として、ズームレンズの広角端の焦点距離をｆＷ、広角端における半画角をω_Ｗとしたとき、下記の条件式を満足することが好ましい。
−１．５＜ｆ２／（２×ｆＷ×tan(ω_Ｗ)）＜−０．７  ・・・（４）
【００２８】
条件式（４）は第２レンズ群の焦点距離と広角端における半画角の比を規定することにより、ズームレンズの収差変動を良好に補正するとともに、高変倍比と小型軽量の両立が可能な条件を規定している。
【００２９】
条件式（４）の上限を超えると、第２レンズ群の焦点距離が小さくなり過ぎ、球面収差、軸上色収差等の収差変動の補正が困難となる。条件式（４）の下限を超えると、第２レンズ群の焦点距離が大きくなり過ぎ、各変倍レンズ群の移動量が増大するため、高倍率化と小型軽量化を両立することが困難となる。
【００３０】
本発明の更なる実施態様として、開口絞りを含み、ズーミングのためには移動しない正の屈折力を有する最終レンズ群Ｕｒの結像倍率βｒは下記の条件式を満足することが好ましい。
−３．０＜βｒ＜−１．８  ・・・（５）
【００３１】
条件式（５）はβｒを規定することにより、小型軽量、高倍率且つ高性能の両立を達成するための条件を規定している。高性能化を達成するためには、変倍移動レンズ群で発生する諸収差のズーム変動を抑制することが望ましい。そのためにはβrを小さくすることが必要である。
【００３２】
一方でβｒを小さくすると、（ａ）式より変倍移動レンズ群の結像倍率が大きくなる。これにより絞りの共役位置である入射瞳位置は像側に配置される。このため、広角端における第１レンズ群Ｕ１の瞳近軸光線高さが高くなり、レンズ径が増大してしまうため、小型軽量化の達成が困難となる。
【００３３】
以上より、βｒを適切な範囲に設定することが、小型軽量化と高性能化の両立を達成するために必要である。
【００３４】
条件式（５）の上限を超えると、最終レンズ群の結像倍率が小さくなり過ぎ、広角端における入射瞳位置が像側に配置されることにより第１群のレンズ径が増大してしまい、小型軽量化を達成することが困難となる。条件式（５）の下限を超えると、最終レンズ群の結像倍が大きくなり過ぎ、変倍移動レンズ群で発生する諸収差のズーム変動が増大してしまい、高性能化を達成することが困難となる。
【００３５】
更に好ましくは、条件式（５）を次の如く設定するのが良い。
−２．７＜βｒ＜−１．８  ・・・（５ａ）
【実施例１】
【００３６】
図１は、本発明の実施例１としての数値実施例１に係るズームレンズの広角端（短焦点距離端）で、無限遠物体にフォーカスしているときのレンズ断面図である。図２は、広角端で無限遠フォーカス時（Ａ）、焦点距離４００ｍｍのズーム位置で無限遠フォーカス時（Ｂ）、望遠端で無限遠フォーカス時（Ｃ）の収差図である。各レンズ断面図において、左方が被写体（物体）側（前方）で、右方が像側（後方）である。
【００３７】
第１レンズ群Ｕ１は不動で正の屈折力を有するレンズ群である。第１レンズ群Ｕ１は物体側から順に正の屈折力を有する第１１サブレンズ群Ｕ１１、正の屈折力を有する第１２サブレンズ群Ｕ１２のサブレンズ群からなる。正の第１２サブレンズ群Ｕ１２群を光軸方向（物体側）に移動させることで（無限遠側から至近側への）フォーカス調整を行う。第２レンズ群Ｕ２はズーミングに際し移動する負の屈折力を有するレンズ群であり、光軸上を物体側から像面側へ移動させることにより、広角端から望遠端へのズーミングを行っている。第３レンズ群Ｕ３はズーミングに際し移動する第３レンズ群であり、広角端から望遠端にかけて、光軸上を移動する。第４レンズ群Ｕ４は固定群であり、正の屈折力を有するリレーレンズ群である。第４レンズ群は物体側から像側へ順に正の第４１サブレンズ群Ｕ４１、正の第４２サブレンズ群Ｕ４２のサブレンズ群から成り、第４１サブレンズ群Ｕ４１と第４２サブレンズ群Ｕ４２の間には、固定の開口絞りＳＰが配置される。第４レンズ群Ｕ４内には、焦点距離変換用のコンバータ（エクステンダ）等が装着されても良い。ＩＰは像面であり、固体撮像素子やフィルム面といった撮像面に相当する。
【００３８】
各収差図において、球面収差における直線、二点鎖線はそれぞれｅ線、ｇ線である。非点収差における実線と一点鎖線はそれぞれサジタル像面（ΔＳ）、メリディオナル像面（ΔＭ）であり、倍率色収差における二点鎖線はそれぞれｇ線である。非点収差および倍率色収差は、絞り位置における光束の中心を通る光線を主光線としたときの収差量を示している。ωは近軸での半画角、ＦｎｏはＦナンバーである。縦収差図では、球面収差は０．５ｍｍ、非点収差は０．５ｍｍ、歪曲は５％、倍率色収差は０．０５ｍｍのスケールで描かれている。尚、以下の各実施例において広角端と望遠端は第２レンズ群が機構上、光軸上を移動可能な範囲の両端に位置したときの変倍位置をいう。これらレンズ断面図と収差図に関する説明は、以降の実施例においても、特に記載の無い限り全て同じである。
【００３９】
実施例１としての数値実施例１における第１レンズ群から第４レンズ群について説明する。第１レンズ群Ｕ１は、数値実施例１において第１レンズ面〜第８レンズ面に対応する第１１サブレンズ群Ｕ１１と、第９レンズ面〜第１２レンズ面に対応する第１２サブレンズ群Ｕ１２のサブレンズ群で構成されている。正の第１１サブレンズ群Ｕ１１群は物体側から順に正レンズ、負レンズ、正レンズ、負レンズにて構成されている。正の第１２サブレンズ群Ｕ１２群は２枚の正レンズにて構成されており、第１２サブレンズ群を光軸方向（物体側）に移動させることで（無限遠側から至近側への）フォーカス調整を行う。第２レンズ群Ｕ２は、数値実施例１において第１３レンズ面〜第２１レンズ面に対応し、物体側から像側へ順に、負レンズ、負レンズと正レンズが貼り合わされた接合正レンズ、負レンズと正レンズで構成されている。第３レンズ群Ｕ３は、数値実施例１において第２２レンズ面〜第２４レンズ面に対応し、物体側から順に負レンズと正レンズが貼り合わされた接合負レンズで構成されている。第４レンズ群Ｕ４は、数値実施例１において第２５レンズ面〜第２８レンズ面に対応する第４１サブレンズ群Ｕ４１と、第３０レンズ面〜第４５レンズ面に対応する第４２サブレンズ群Ｕ４２のサブユニットで構成されている。第４１サブレンズ群Ｕ４１は、２枚のレンズで構成されている。第４２サブレンズ群Ｕ４２は、物体側から像側へ順に接合負レンズ、正レンズ、接合負レンズ、正レンズ、接合正レンズ、接合負レンズで構成される。非球面は第１３面と第２６面に用いられている。第１３面の非球面は像面湾曲のズームによる変動や望遠側の球面収差の変動を補正している。第２６面の非球面は、広角側の球面収差のズーム変動と、コマ収差の画角変動を抑制している。
【００４０】
本実施例の各条件式対応値を表１に示す。本数値実施例はいずれの条件式も満足しており、良好な光学性能を達成している。加えて、広角端焦点距離５０ｍｍ、ズーム比１８倍、広角端のＦｎｏが４．５、望遠端Ｆｎｏが７．０と、超望遠、高倍率、大口径比且つ小型軽量を達成している。
【実施例２】
【００４１】
実施例２としての数値実施例２に係るズームレンズにおける第１レンズ群から第４レンズ群について説明する。第１レンズ群Ｕ１は、数値実施例２において第１レンズ面〜第８レンズ面に対応する第１１サブレンズ群Ｕ１１と、第９レンズ面〜第１２レンズ面に対応する第１２サブレンズ群Ｕ１２のサブレンズ群で構成されている。正の第１１サブレンズ群Ｕ１１は物体側から像側へ順に正レンズ、負レンズ、正レンズ、負レンズにて構成されている。正の第１２サブレンズ群Ｕ１２は２枚の正レンズにて構成されており、第１２サブレンズ群Ｕ１２を光軸方向（物体側）に移動させることで（無限遠側から至近側への）フォーカス調整を行う。第２レンズ群Ｕ２は、数値実施例２において第１３レンズ面〜第１９レンズ面に対応し、物体側から順に、負レンズ、負レンズと正レンズが貼り合わされた接合正レンズ、負レンズで構成されている。第３レンズ群Ｕ３は、数値実施例２において第２０レンズ面〜第２２レンズ面に対応し、物体側から順に負レンズと正レンズが貼り合わされた接合負レンズで構成されている。第４レンズ群Ｕ４は、数値実施例２において第２３レンズ面〜第２９レンズ面に対応する第４１サブレンズ群Ｕ４１と、第３１レンズ面〜第４２レンズ面に対応する第４２サブレンズ群Ｕ４２のサブユニットで構成されている。第４１サブレンズ群Ｕ４１は、物体側から像側へ順に２枚の正レンズと、正レンズと負レンズが貼り合わされた接合負レンズで構成されている。第４２サブレンズ群Ｕ４２は、物体側から像側へ順に正レンズ、接合負レンズ、負レンズ、接合負レンズ、正レンズで構成される。非球面は第１３面と第２４面に用いられている。第１３面の非球面は像面湾曲のズームによる変動や望遠側の球面収差の変動を補正している。第２４面の非球面は、広角側の球面収差のズーム変動と、コマ収差の画角変動を抑制している。
【００４２】
本実施例の各条件式対応値を表１に示す。本数値実施例はいずれの条件式も満足しており、良好な光学性能を達成している。加えて、広角端焦点距離５０ｍｍ、ズーム比２４倍、広角端のＦｎｏが４．５、望遠端Ｆｎｏが１０．０と、超望遠、高倍率、大口径比且つ小型軽量を達成している。
【実施例３】
【００４３】
実施例３としての数値実施例３に係るズームレンズにおける第１レンズ群から第４レンズ群について説明する。第１レンズ群Ｕ１は、数値実施例３において第１レンズ面〜第５レンズ面に対応する第１１サブレンズ群Ｕ１１と、第６レンズ面〜第１０レンズ面に対応する第１２サブレンズ群Ｕ１２と、第１１レンズ面〜第１３レンズ面に対応する第１３サブレンズ群Ｕ１３のサブユニットで構成されている。正の屈折力を有する第１１サブレンズ群Ｕ１１は物体側から順に正レンズ、正レンズと負レンズが貼り合わされた接合レンズで構成されている。正の屈折力を有する第１２サブレンズ群Ｕ１２は正レンズ、正レンズと負レンズが貼り合わされた接合レンズで構成されており、光軸方向（物体側）に移動させることで（無限遠側から至近側への）フォーカス調整を行う。負の屈折力を有する第１３サブレンズ群Ｕ１３は、正レンズと負レンズが貼り合わされた接合レンズで構成されている。第２レンズ群Ｕ２は、第１４レンズ面〜第２２レンズ面に対応し、物体側から順に、負レンズ、負レンズと正レンズが貼り合わされた接合レンズ、負レンズ、正レンズで構成されている。第３レンズ群Ｕ３は、第２３レンズ面〜第２５レンズ面に対応し、物体側から順に負レンズと正レンズが貼り合わされた接合負レンズで構成されている。第４レンズ群Ｕ４は、第２６レンズ面〜第２９レンズ面に対応する第４１サブレンズ群Ｕ４１と、第３１レンズ面〜第４６レンズ面に対応する第４２サブレンズ群Ｕ４２のサブレンズ群で構成されている。第４１サブレンズ群Ｕ４１は、物体側から像側へ順に２枚の正レンズで構成されている。第４２サブレンズ群Ｕ４２は、正レンズと負レンズが貼り合わされた接合レンズ、正レンズ、負レンズと正レンズが貼り合わされた接合レンズ、正レンズ、負レンズと正レンズが貼り合わされた接合レンズ、負レンズと正レンズが貼り合わされた接合レンズで構成される。非球面は第１４面と第２７面に用いられている。第１４面の非球面は像面湾曲のズームによる変動や望遠側の球面収差の変動を補正している。第２７面の非球面は、広角側の球面収差のズーム変動と、コマ収差の画角変動を抑制している。
【００４４】
本実施例の各条件式対応値を表１に示す。本数値実施例はいずれの条件式も満足しており、良好な光学性能を達成している。加えて、広角端焦点距離５０ｍｍ、ズーム比１９．４倍、広角端のＦｎｏが４．５、望遠端Ｆｎｏが８．０と、超望遠、高倍率、大口径比且つ小型軽量を達成している。
【実施例４】
【００４５】
実施例４としての数値実施例４に係るズームレンズにおける第１レンズ群から第５レンズ群について説明する。第１レンズ群Ｕ１は、数値実施例４において第１レンズ面〜第８レンズ面に対応する第１１サブレンズ群Ｕ１１と、第９レンズ面〜第１２レンズ面に対応する第１２サブレンズ群Ｕ１２のサブユニットで構成されている。正の屈折力を有する第１１サブレンズ群Ｕ１１は物体側から像側へ順に正レンズ、負レンズ、正レンズ、負レンズにて構成されている。正の屈折力を有する第１２サブレンズ群Ｕ１２は２枚の正レンズにて構成されており、第１２サブレンズ群Ｕ１２を光軸方向（物体側）に移動させることで（無限遠側から至近側への）フォーカス調整を行う。第２レンズ群Ｕ２は、数値実施例４において第１３レンズ面〜第２３レンズ面に対応し、物体側から順に、負レンズ、正レンズと負レンズが貼り合わされた接合正レンズ、負レンズ、正レンズと負レンズで構成されている。第３レンズ群Ｕ３は、数値実施例４において第２４レンズ面〜第２８レンズ面に対応し、物体側から順に正レンズと負レンズが貼り合わされた接合正レンズで構成されている。第４レンズ群Ｕ４は、数値実施例４において第２９レンズ面〜第３３レンズ面に対応し、物体側から順に正レンズ、負レンズと正レンズが貼り合わされた接合正レンズで構成されている。第５レンズ群Ｕ５は、数値実施例４において第３５レンズ面〜第４８レンズ面に対応し、物体側から順に負レンズ、正レンズ、負レンズ、正レンズと、接合正レンズ、接合負レンズにて構成されている。非球面は第２６面に用いられており、広角側の球面収差のズーム変動と、コマ収差の画角変動を抑制している。
【００４６】
本実施例の各条件式対応値を表１に示す。本数値実施例はいずれの条件式も満足しており、良好な光学性能を達成している。加えて、広角端焦点距離４５ｍｍ、ズーム比２０倍、広角端のＦｎｏが４．５、望遠端Ｆｎｏが６．５と、超望遠、高倍率、大口径比且つ小型軽量を達成している。
【００４７】
次に、上述した各ズームレンズを撮像光学系として用いた撮像装置について説明する。図９は各実施例のズームレンズを撮影光学系として用いた撮像装置（テレビカメラシステム）の要部概略図である。図９において１０１は実施例１〜４のいずれか１つのズームレンズである。
【００４８】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、ズーミングに際して移動する変倍部１１５、結像用のレンズ群１１６を有している。ＳＰは開口絞りである。ズーミングのためには移動しないレンズ群１１６は、光路中より挿抜可能な変倍光学系ＩＥを有している。
【００４９】
変倍部１１５には、光軸方向に駆動される為の駆動機構が備わっている。１１７、１１８は変倍部１１５及び開口絞りＳＰを電動駆動するモータ等の駆動手段である。尚、駆動機構を追加することでレンズ群１１４、１１５、１１６の全体、もしくは各レンズ群の一部は光軸方向に移動することによりフォーカシングを行うこともできる。１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。カメラ１２４において、１０９はカメラ１２４内の光学フィルタや色分解プリズムに相当するガラスブロック、１１０はズームレンズ１０１によって形成された被写体像（光学像）を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００５０】
以上、本発明の好ましい実施形態について説明したが、本発明はこれらの実施形態に限定されず、その要旨の範囲内で種々の変形及び変更が可能である。
【００５１】
次に本発明の実施例１〜４に対応する数値実施例１〜４を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとｖｄｉおよびθgfiは第ｉ番目の光学部材の屈折率とアッベ数および、部分分散比である。焦点距離、Ｆナンバー、画角は、それぞれ無限遠物体に焦点を合わせたときの値を表している。ＢＦはレンズの最終面から像面までの距離を空気換算した値である。
【００５２】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
【００５３】
ｘ＝（ｙ2／ｒ）／｛１＋(１−ｋ×ｙ2／ｒ2)0.5｝＋A4×ｙ4＋A6×ｙ6＋A8×ｙ8＋A10×ｙ10＋A12×ｙ12
各実施例と前述した各条件式との対応を表１に示す。
【００５４】
（数値実施例１）
単位 mm
面データ
面番号       r        d      nd         vd       有効径
1        164.542   17.02   1.48749    70.2      128.57
2      -2190.491    1.00                        127.75
3        163.406    3.40   1.72916    54.7      121.68
4        105.236    5.74                        116.27
5        118.299   22.48   1.43387    95.1      115.91
6       -391.744    1.50                        114.67
7       -311.036    3.20   1.72916    54.7      114.36
8        192.990   17.07                        110.42
9        154.702   17.13   1.43387    95.1      110.82
10       -398.948    0.20                        110.17
11        138.851    7.13   1.43387    95.1      103.92
12        229.587  (可変)                        102.37
13*     10889.244    1.20   1.77250    49.6       31.61
14         29.856    5.87                         28.82
15       -158.065    1.00   1.61800    63.3       28.49
16         31.991    7.28   1.72047    34.7       28.18
17        -76.450    3.06                         28.16
18        -36.038    1.00   1.61800    63.3       28.04
19        460.546    0.20                         29.13
20         77.615    2.85   1.54814    45.8       29.81
21        913.445  (可変)                         30.06
22        -74.286    1.00   1.72916    54.7       38.26
23        168.941    3.38   1.84666    23.8       39.86
24      -1285.456  (可変)                         40.47
25         78.883    8.43   1.59349    67.0       45.06
26*       -77.092    1.00                         45.25
27         50.042    8.78   1.59522    67.7       43.82
28       -139.554    3.00                         42.89
29(絞り)    ∞       3.00                         38.13
30       -139.468    4.62   1.43875    94.9       36.28
31        -45.110    1.20   2.00330    28.3       35.00
32         94.960    3.46                         34.20
33         43.242    9.04   1.56732    42.8       34.83
34        -64.973    4.22                         34.07
35       -367.839    1.20   2.00100    29.1       29.29
36         19.475    8.02   1.84666    23.8       27.05
37        204.743   43.19                         26.46
38         47.069    3.59   1.48749    70.2       21.60
39       -174.898    7.39                         21.38
40        -29.977    1.00   1.88300    40.8       20.01
41         25.641    7.29   1.71736    29.5       21.06
42        -22.137    2.00                         21.77
43        -17.575    1.00   1.95375    32.3       21.48
44        -60.000    8.54   1.51742    52.4       23.58
45        -18.621  (可変)                         26.37
像面        ∞   
非球面データ
第13面
K = 9.77458e+004  A 4= 2.20189e-006  A 6= 2.88707e-011  A 8= 2.09078e-012  A10=-1.14265e-013  A12= 9.17677e-016  A14=-3.08089e-018  A16= 3.85985e-021  
第26面
K =-9.05930e-001  A 4= 7.04555e-007  A 6= 2.55835e-010  A 8=-9.15718e-013  A10= 2.78952e-015  A12=-2.67183e-018  A14=-1.00580e-021  A16= 2.50307e-024  
各種データ
ズーム比     18.00 
広角     中間     望遠
焦点距離      50.00   400.00   900.00  
Fナンバー      4.50     4.50     7.00  
画角          17.59     2.27     1.01  
像高          15.85    15.85    15.85  
レンズ全長   450.92   450.92   450.92  
BF            45.92    45.92    45.92  
d12           10.00   120.50   137.50  
d21          137.35     7.78    13.34  
d24            4.99    24.06     1.50  
d45           45.92    45.92    45.92  
入射瞳位置    173.69  1202.69   2262.98  
射出瞳位置   -118.20  -118.20   -118.20  
前側主点位置  208.46   627.79  -1772.42  
後側主点位置   -4.08  -354.08   -854.08  
ズームレンズ群データ
群  始面    焦点距離  レンズ構成長  前側主点位置  後側主点位置
1    1     225.00        95.88        36.28        -45.00
2   13     -33.00        22.45         2.61        -13.60
3   22    -118.37         4.38        -0.24         -2.64
4   25      53.57       129.96        -4.67       -134.68
単レンズデータ
レンズ  始面  焦点距離
1       1    313.63
2       3   -413.89
3       5    211.72
4       7   -162.19
5       9    258.71
6      11    788.93
7      13    -38.57
8      15    -42.80
9      16     31.99
10      18    -53.84
11      20    153.76
12      22    -70.33
13      23    174.82
14      25     66.81
15      27     62.75
16      30    149.35
17      31    -30.10
18      33     46.94
19      35    -18.30
20      36     24.68
21      38     76.23
22      40    -15.43
23      41     17.55
24      43    -26.17
25      44     48.53
【００５５】
（数値実施例２）
単位 mm
面データ
面番号       r        d      nd         vd       有効径
1        163.528   17.53   1.49700    81.5      121.93
2       -673.882    1.00                        120.52
3        135.037    3.70   1.77250    49.6      111.44
4        100.355    4.59                        106.76
5        108.786   16.31   1.43387    95.1      106.00
6       2381.643    4.35                        104.44
7       -382.047    3.20   1.77250    49.6      104.30
8        183.501   13.20                        100.76
9        157.156   10.86   1.49700    81.5      100.53
10     -12135.290    0.20                         99.95
11        252.223    7.96   1.49700    81.5       98.13
12      -1829.629  (可変)                         97.21
13*      -476.807    1.20   1.72916    54.7       38.72
14         33.366    4.08                         34.75
15        163.349    1.00   1.61800    63.3       34.72
16         25.003   10.15   1.72047    34.7       33.07
17       -142.539    5.31                         32.04
18        -34.777    1.00   1.69680    55.5       29.67
19       -269.964  (可変)                         29.61
20        -70.407    1.00   1.72916    54.7       31.24
21        141.360    2.95   1.84666    23.8       32.35
22      -5387.417  (可変)                         32.88
23        608.617    3.68   1.51633    64.1       49.35
24*      -214.177    0.20                         49.93
25         61.906   11.98   1.49700    81.5       52.67
26        -86.144    0.50                         52.52
27         92.723   10.45   1.43875    94.9       48.89
28        -69.566    1.50   2.00100    29.1       47.43
29        159.602    5.06                         46.55
30(絞り)    ∞       2.00                         46.74
31         61.251    8.19   1.68893    31.1       47.11
32       -183.670   19.21                         46.51
33        -64.343    1.20   2.00100    29.1       32.74
34         41.407    7.29   1.76182    26.5       32.31
35        -66.209   53.12                         32.39
36        -50.541    1.50   2.00100    29.1       20.34
37       -152.778    8.68                         20.79
38         87.153    5.68   1.76182    26.5       23.58
39        -25.761    1.00   2.00100    29.1       23.65
40        107.046    1.42                         24.36
41         64.341    4.19   1.67270    32.1       25.50
42        -91.204  (可変)                         25.82
像面        ∞   
非球面データ
第13面
K = 0.00000e+000  A 4= 3.52166e-006  A 6=-9.04425e-010  A 8=-4.02105e-014  A10= 2.11684e-015  A12=-4.10826e-019  
第24面
K =-8.40684e-001  A 4= 5.82961e-007  A 6= 1.12421e-010  A 8= 2.39096e-013  A10=-2.88892e-016  A12= 2.42509e-019  
各種データ
ズーム比     24.00 
広角     中間     望遠
焦点距離      50.00   500.00  1200.00  
Fナンバー      4.50     4.49    10.00  
画角          16.49     1.70     0.71  
像高          14.80    14.80    14.80  
レンズ全長   465.00   465.00   465.00  
BF            55.00    55.00    55.00  
d12            6.31   109.89   122.42  
d19          114.62     3.35    28.63  
d22           32.62    40.31     2.50  
d42           55.00    55.00    55.00  
入射瞳位置    168.58  1476.41   3303.63  
射出瞳位置   -101.85  -101.85   -101.85  
前側主点位置  202.64   382.51  -4677.24  
後側主点位置    5.00  -445.00  -1145.00  
ズームレンズ群データ
群  始面    焦点距離  レンズ構成長  前側主点位置  後側主点位置
1    1     208.00        82.90        24.79        -44.72
2   13     -33.00        22.74         6.49         -8.60
3   20    -106.77         3.95        -0.09         -2.26
4   23      57.71       146.86       -15.60       -128.59
単レンズデータ
レンズ  始面  焦点距離
1       1    265.86
2       3   -528.01
3       5    261.51
4       7   -159.31
5       9    311.35
6      11    445.27
7      13    -42.54
8      15    -47.72
9      16     30.09
10      18    -57.15
11      20    -64.05
12      21    161.14
13      23    306.16
14      25     74.26
15      27     92.18
16      28    -47.85
17      31     67.09
18      33    -24.82
19      34     34.15
20      36    -75.40
21      38     26.45
22      39    -20.50
23      41     56.29
【００５６】
（数値実施例３）
単位 mm
面データ
面番号       r        d      nd         vd       有効径
1        424.595   11.09   1.48749    70.2      126.35
2       -594.285    0.20                        125.51
3        173.957   19.89   1.43875    94.9      118.14
4       -291.286    4.00   1.72047    34.7      116.31
5        807.691   16.85                        113.22
6        442.688    8.68   1.43387    95.1      108.28
7       -791.619    0.20                        106.50
8        178.245   10.17   1.43875    94.9      101.53
9       6078.912    2.50   1.74950    35.3       99.95
10        701.579    3.00                         98.21
11       1195.134   10.09   1.85478    24.8       96.69
12       -211.097    2.20   1.74950    35.3       95.28
13        287.381  (可変)                         90.30
14*       650.746    1.20   1.77250    49.6       34.49
15         29.914    5.46                         31.13
16      -1357.488    1.00   1.59522    67.7       30.87
17         31.724    6.97   1.72047    34.7       30.14
18       -245.341    3.24                         29.56
19        -35.831    1.00   1.59522    67.7       29.30
20        189.754    0.20                         29.59
21         95.865    2.86   1.72047    34.7       29.74
22       -558.084  (可変)                         29.71
23        -70.636    1.00   1.72916    54.7       35.49
24        124.130    2.96   1.85478    24.8       37.03
25      -4972.820  (可変)                         37.47
26        133.386    6.41   1.60311    60.6       42.87
27*       -82.961    1.00                         43.27
28         44.374   10.82   1.48749    70.2       43.66
29       -115.328    5.00                         42.62
30(絞り)    ∞       2.00                         37.50
31         73.236    7.38   1.43875    94.9       34.52
32        -46.594    1.20   1.88300    40.8       33.02
33         75.284   13.46                         31.40
34         47.133    6.57   1.58913    61.1       29.35
35        -88.341    1.00                         28.33
36        177.549    1.20   1.95375    32.3       26.28
37         18.943    4.80   1.64769    33.8       24.00
38         49.212   35.00                         23.70
39         87.063    4.31   1.51633    64.1       29.91
40       -110.328   15.29                         29.91
41        -67.625    1.00   1.88300    40.8       27.71
42         28.224    9.58   1.72825    28.5       28.46
43        -31.135    4.91                         28.98
44        -21.870    1.00   1.95375    32.3       27.67
45        -87.522    8.06   1.51742    52.4       30.38
46        -21.424    (BF)                         31.88
像面        ∞   
非球面データ
第14面
K = 2.35314e+002  A 4= 1.93318e-006  A 6= 4.20833e-010  A 8=-1.72913e-011  A10= 1.51882e-013  A12=-7.31823e-016  A14= 1.83686e-018  A16=-1.86030e-021  
第27面
K =-2.08328e+000  A 4= 4.85459e-007  A 6= 1.21437e-010  A 8= 1.41513e-013  A10= 5.06031e-017  A12=-2.55554e-019  A14=-5.54086e-022  A16= 1.16997e-024  
各種データ
ズーム比     19.40 
広角     中間     望遠
焦点距離      50.00   400.00   970.00  
Fナンバー      4.50     4.50     8.00  
半画角        16.49     2.12     0.87  
像高          14.80    14.80    14.80  
レンズ全長   453.00   453.00   453.00  
BF            55.00    55.00    55.00  
d13            4.00   111.70   129.65  
d22          130.93     5.52    12.60  
d25            8.32    26.02     1.00  
d46           55.00    55.00    55.00  
入射瞳位置    161.92  1248.43  2562.17  
射出瞳位置   -170.62  -170.62  -170.62  
前側主点位置  200.84   939.26  -638.17  
後側主点位置    5.00  -345.00  -915.00  
ズームレンズ群データ
群  始面    焦点距離  レンズ構成長  前側主点位置  後側主点位置
1    1     230.00        88.86         4.21        -58.90
2   14     -32.50        21.93         3.40        -12.18
3   23    -109.50         3.96        -0.11         -2.27
4   26      68.70       140.00        18.78       -175.06
単レンズデータ
レンズ  始面  焦点距離
1       1    508.12
2       3    250.89
3       4   -294.68
4       6    654.14
5       8    417.26
6       9  -1051.34
7      11    208.61
8      12   -160.99
9      14    -40.43
10      16    -51.88
11      17     39.14
12      19    -50.38
13      21    112.99
14      23    -61.34
15      24    140.39
16      26     85.43
17      28     67.00
18      31     65.98
19      32    -32.26
20      34     52.92
21      36    -22.15
22      37     44.44
23      39     94.60
24      41    -22.31
25      42     21.64
26      44    -30.58
27      45     52.40
【００５７】
（数値実施例４）
単位 mm
面データ
面番号       r        d      nd         vd       有効径
1        203.264   16.19   1.51633    64.1      140.70
2      -3744.465    0.62                        139.90
3        255.253    4.00   1.81600    46.6      135.38
4        126.628    6.26                        129.26
5        131.517   26.20   1.43387    95.1      129.56
6       -341.672    2.68                        128.66
7       -272.424    4.00   1.75500    52.3      127.92
8        525.435   16.76                        126.05
9        233.970   16.69   1.43387    95.1      125.39
10       -348.510    0.15                        124.92
11        196.599    7.84   1.59349    67.0      118.80
12        463.227  (可変)                        117.62
13        546.755    1.80   1.81600    46.6       45.59
14         40.884    1.87                         41.27
15         48.599    9.26   1.72047    34.7       41.09
16        -70.413    1.50   1.59522    67.7       40.18
17         80.282    3.40                         36.20
18       -122.910    1.50   1.59522    67.7       36.21
19         75.882    0.10                         34.74
20         47.097    3.45   1.72047    34.7       34.47
21         92.852    5.00                         33.71
22        -80.816    1.40   1.59522    67.7       32.83
23        133.735  (可変)                         32.26
24        181.905    5.01   1.61800    63.3       44.49
25       -126.032    1.50   1.83400    37.2       44.66
26*    -61694.416    0.20                         45.15
27        129.653    6.18   1.49700    81.5       45.75
28       -119.596  (可変)                         45.87
29        530.917    3.86   1.48749    70.2       44.80
30       -167.813    0.20                         44.62
31         69.559    1.50   1.72047    34.7       43.19
32         40.291    7.00   1.49700    81.5       41.54
33        692.214  (可変)                         41.04
34(絞り)    ∞      10.52                         28.81
35       -289.485    1.40   1.88300    40.8       24.06
36         68.757    0.15                         23.53
37         34.741    3.50   1.80518    25.4       23.44
38        201.945    1.84                         22.81
39       1111.736    1.50   1.91082    35.3       21.93
40         40.184   33.00                         21.09
41        192.674    5.00   1.49700    81.5       27.56
42        -67.713    1.05                         27.88
43        483.753    1.50   1.88300    40.8       27.74
44         34.840    7.00   1.60342    38.0       27.52
45        -62.138    1.13                         27.75
46       -115.113    6.00   1.51742    52.4       27.49
47        -39.357    1.50   1.88300    40.8       27.45
48       -106.543  (可変)                         27.87
像面        ∞   
非球面データ
第26面
K =-6.77646e+004  A 4= 3.14453e-007  A 6=-7.70633e-012  A 8= 6.69043e-014  A10=-9.36787e-017  A12= 5.05543e-020  
各種データ
ズーム比     20.00 
広角     中間     望遠
焦点距離      45.00   450.00   900.00  
Fナンバー      4.50     4.50     6.50  
画角          18.21     1.88     0.94  
像高          14.80    14.80    14.80  
レンズ全長   496.96   496.96   496.96  
BF            70.00    70.00    70.00  
d12            3.60   117.04   129.76  
d23          163.25    44.12     3.00  
d28           27.04     7.83    40.44  
d33            1.85    26.75    22.55  
d48           70.00    70.00    70.00  
入射瞳位置   176.91   1448.68   3058.95  
射出瞳位置    -91.64   -91.64    -91.64  
前側主点位置  209.38   645.87  -1052.08  
後側主点位置   25.00  -380.01   -830.00  
ズームレンズ群データ
群  始面    焦点距離  レンズ構成長  前側主点位置  後側主点位置
1    1     225.00       101.39        49.33        -34.73
2   13     -34.75        29.29        12.67         -7.06
3   24     105.00        12.89         4.69         -3.67
4   29     125.00        12.56         1.29         -7.01
5   34    -203.63        75.09       -40.82       -142.69
単レンズデータ
レンズ  始面  焦点距離
1       1    372.54
2       3   -310.74
3       5    222.05
4       7   -236.04
5       9    324.66
6      11    567.24
7      13    -53.96
8      15     40.98
9      16    -62.57
10      18    -78.32
11      20    127.71
12      22    -84.13
13      24    120.77
14      25   -150.47
15      27    125.85
16      29    261.15
17      31   -134.91
18      32     85.52
19      35    -62.44
20      37     51.15
21      39    -45.50
22      41    101.17
23      43    -42.34
24      44     37.80
25      46    112.03
26      47    -71.02
【００５８】
【表１】
0005984878.tif 000002
【符号の説明】
【００５９】
Ｕ１    第１レンズ群
Ｕ２    第２レンズ群
Ｕ３    第３レンズ群
Ｕ４    第４レンズ群
Ｕ１１    第１１サブユニット群
Ｕ１２    第１２サブユニット群
ＳＰ    絞り
ＩＰ    像面
【図１】
0005984878.tif 000003
【図２】
0005984878.tif 000004
【図３】
0005984878.tif 000005
【図４】
0005984878.tif 000006
【図５】
0005984878.tif 000007
【図６】
0005984878.tif 000008
【図７】
0005984878.tif 000009
【図８】
0005984878.tif 000010
【図９】
0005984878.tif 000011